(57)【要約】  この感圧検出方法および感圧センサーは、加圧入力の検出エリアに加圧入力面部を持つ単一または複数の圧電層を設置し、この圧電層を挟んで配置された単一または複数の電極対の少なくとも一方の電極を、加圧入力面部より狭い連続した電極部または複数の電極部を備えるパターン電極とし、このパターン電極に加圧入力を受け、感圧出力を取り出す。これにより加圧入力面部から不感領域を削減して検出効力を高めることができる。また、接点や、接点間の弾性による間隔保持が不要であり、感圧センサーの小型化および軽量化を図ることができ、接点の経年劣化がなく、長期に亘って安定した感圧検出が行え、メンテナンスコストを削減できる。
2017188130.tif 000002
【特許請求の範囲】
【請求項１】
加圧入力の検出エリアに加圧入力面部を持つ単一または複数の圧電層を設置し、
前記圧電層を挟んで配置された単一または複数の電極対の少なくとも一方の電極を、前記加圧入力面部より狭い連続した電極部または複数の電極部を備えるパターン電極とし、
前記パターン電極に加圧入力を受け、前記パターン電極から感圧出力を取り出す感圧検出方法。
【請求項２】
加圧入力の検出エリアに加圧入力面部を持つ単一または複数の圧電層と、
前記圧電層を挟んで配置された単一または複数の電極対と、
前記電極対の少なくとも一方の電極に備えられ、前記加圧入力面部より狭い複数の電極部を含み、加圧入力を受けるパターン電極と、
を備え、前記加圧入力で得られる感圧出力が前記パターン電極に含まれる複数の前記電極部から取り出される感圧センサー。
【請求項３】
前記パターン電極は、前記加圧入力のレベル、位置、方向または範囲を表す感圧出力、複数の加圧入力の分布を表す出力の何れかまたは２以上を取り出す複数の電極部を含む請求項２に記載の感圧センサー。
【請求項４】
前記パターン電極は、前記圧電層の平面、背面および側面の何れかまたは２以上に配置される複数の電極部を含む請求項２または３の請求項に記載の感圧センサー。
【請求項５】
前記パターン電極は、前記圧電層の加圧入力面上で連続して屈曲する単一または複数の電極部、単一の電極部を２以上に分割した複数の電極部、前記圧電層の加圧入力面にＸ軸方向、Ｙ軸方向またはＺ軸方向に配列された複数の電極部、または、前記加圧入力面の任意の複数方向に分岐させた複数の電極部の何れかを含む、請求項２ないし４の何れかの請求項に記載の感圧センサー。
【請求項６】
さらに、少なくとも前記電極対をシールドするシールド層と、
を備える、請求項２ないし５の何れかの請求項に記載の感圧センサー。
【請求項７】
さらに、前記圧電層を覆う粘弾性保護層と、
前記粘弾性保護層の外面部に設置された滑止め層と、
を備える、請求項２ないし６の何れかの請求項に記載の感圧センサー。
【請求項８】
さらに、前記圧電層と支持手段との間に介在させ、前記圧電層を含む積層体を支持する剛性層と、
を備える、請求項２ないし７の何れかの請求項に記載の感圧センサー。
【請求項９】
請求項２ないし請求項８の何れかの請求項に記載する感圧センサーと、
前記感圧センサーの感圧出力を用いて人または物の有無、位置、通過または集合の何れかを判定する判定手段と、
を備える感圧検出装置。
【請求項１０】
請求項２ないし請求項８の何れかの請求項に記載する感圧センサーと、
前記感圧センサーのセンサー出力を音信号または光信号に変換する信号変換部と、
を備える感圧検出装置。
【請求項１１】
請求項２ないし請求項８の何れかの請求項に記載する感圧センサーと、
前記感圧センサーのセンサー出力レベルに応じ、制御対象機器の動作開始、動作停止の制御信号を出力する制御部と、
を備える感圧検出装置。
【請求項１２】
請求項２ないし請求項８に記載された感圧センサー、または請求項９ないし請求項１１に記載された感圧検出装置と、
前記感圧センサーまたは前記感圧検出装置が設置され、人または物が通過しまたは集合するエリアと、
前記感圧センサーまたは前記感圧検出装置に含まれる前記感圧センサーのセンサー出力から前記エリアの人または物の通過または集合を含む処理をする処理手段と、
前記処理手段に有線または無線により接続され、前記処理手段の処理結果を提示する提示手段と、
を備える感圧検出システム。
【発明の詳細な説明】
【技術分野】
【０００１】
本発明は、人や物から受ける圧力を圧電素子で検出するセンサー技術に関する。
【背景技術】
【０００２】
人や物の検出では、人や物が有する重量を電気信号に変換し、その電気信号を人や物の有無、その通過や集合に圧力センサーを利用することが行われている。【０００３】
この圧力センサーに関し、加圧されると電気抵抗値やインピーダンスが変化する感圧導電ゴムおよび電極を備え、外部からの加圧を検出することが知られている（特許文献１）。
【先行技術文献】
【特許文献】
【０００４】
【特許文献１】特開昭６３−３２３３０号公報
【発明の概要】
【発明が解決しようとする課題】
【０００５】
ところで、従来の圧力センサーを備える検出マットでは、スペーサで上下電極の電極間を保持し、加重によりスペーサを圧縮し、感圧導電ゴムおよび電極間が導通したとき、人や物体の通過を判断することが可能である。このような感圧導電ゴムやスペーサを用いた検出構造には次のような課題がある。【０００６】
(1) 線状センシングを採用して接点範囲を拡大しても、センシング範囲に不感領域が存在し、検出効率が低い。【０００７】
(2) 電極間の開閉では開閉出力しか得られないし、この開閉出力も一定圧以上の加圧入力で生じるにすぎない。【０００８】
(3) 導電ゴム及びスペーサは経年劣化や弾性疲労を生じ、長期に亘って安定した動作が得られず、誤動作が生じ、信頼性に欠ける。【０００９】
(4) 導電ゴム及びスペーサの弾性で電極間の間隔維持、圧縮による接点間導通、圧縮解除による間隔復帰を繰り返す場合、所定厚さ以上の導電ゴム及びスペーサを必要とするため、小型化や軽量化が妨げられる。【００１０】
斯かる要求や課題について、特許文献１にはその開示や示唆はなく、それを解決する構成等についての開示や示唆はない。【００１１】
そこで、本発明の目的は、上記課題に鑑み、圧力レベルに応じた検出出力を得ることができ、センサーの小型化および軽量化を図るとともに検出効率を高め、信頼性の高い感圧特性を得ることにある。
【課題を解決するための手段】
【００１２】
上記目的を達成するため、本発明の感圧検出方法の一側面によれば、加圧入力の検出エリアに加圧入力面部を持つ単一または複数の圧電層を設置し、前記圧電層を挟んで配置された単一または複数の電極対の少なくとも一方の電極を、前記加圧入力面部より狭い連続した電極部または複数の電極部を備えるパターン電極とし、前記パターン電極に加圧入力を受け、前記パターン電極から感圧出力を取り出す。【００１３】
上記目的を達成するため、本発明の感圧センサーの一側面によれば、加圧入力の検出エリアに加圧入力面部を持つ単一または複数の圧電層と、前記圧電層を挟んで配置された単一または複数の電極対と、前記電極対の少なくとも一方の電極に備えられ、前記加圧入力面部より狭い複数の電極部を含み、加圧入力を受けるパターン電極とを備え、前記加圧入力で得られる感圧出力が前記パターン電極に含まれる複数の前記電極部から取り出される。【００１４】
上記感圧センサーにおいて、前記パターン電極は、前記加圧入力のレベル、位置、方向または範囲を表す感圧出力、複数の加圧入力の分布を表す出力の何れかまたは２以上を取り出す複数の電極部を含んでよい。【００１５】
上記感圧センサーにおいて、前記パターン電極は、前記圧電層の平面、背面および側面の何れかまたは２以上に配置される複数の電極部を含んでよい。【００１６】
上記感圧センサーにおいて、前記パターン電極は、前記圧電層の加圧入力面上で連続して屈曲する単一または複数の電極部、単一の電極部を２以上に分割した複数の電極部、前記圧電層の加圧入力面にＸ軸方向、Ｙ軸方向またはＺ軸方向に配列された複数の電極部、または、前記加圧入力面の任意の複数方向に分岐させた複数の電極部の何れかを含んでよい。【００１７】
上記感圧センサーにおいて、さらに、少なくとも前記電極対をシールドするシールド層を備えてよい。【００１８】
上記感圧センサーにおいて、さらに、前記圧電層を覆う粘弾性保護層と、前記粘弾性保護層の外面部に設置された滑止め層とを備えてよい。【００１９】
上記感圧センサーにおいて、さらに、前記圧電層と支持手段との間に介在させ、前記圧電層を含む積層体を支持する剛性層とを備えてよい。【００２０】
上記目的を達成するため、本発明の感圧検出装置の一側面によれば、前記感圧センサーと、前記感圧センサーの感圧出力を用いて人または物の有無、位置、通過または集合の何れかを判定する判定手段とを備える。【００２１】
上記目的を達成するため、本発明の感圧検出装置の一側面によれば、前記感圧センサーと、前記感圧センサーのセンサー出力を音信号または光信号に変換する信号変換部とを備える。【００２２】
上記目的を達成するため、本発明の感圧検出装置の一側面によれば、前記感圧センサーと、前記感圧センサーのセンサー出力レベルに応じ、制御対象機器の動作開始、動作停止の制御信号を出力する制御部とを備える。【００２３】
上記目的を達成するため、本発明の感圧検出システムの一側面によれば、前記感圧センサー、または前記感圧検出装置と、前記感圧センサーまたは前記感圧検出装置が設置され、人または物が通過しまたは集合するエリアと、前記感圧センサーまたは前記感圧検出装置に含まれる前記感圧センサーのセンサー出力から前記エリアの人または物の通過または集合を含む処理をする処理手段と、前記処理手段に有線または無線により接続され、前記処理手段の処理結果を提示する提示手段とを備える。
【発明の効果】
【００２４】
本発明の感圧検出方法、感圧センサー、感圧検出装置および感圧検出システムによれば、次のいずれかの効果が得られる。【００２５】
(1) 加圧入力面部から不感領域を削減して検出効力を高めることができる。【００２６】
(2) 接点や、接点間の弾性による間隔保持が不要であり、感圧センサーの小型化および軽量化を図ることができ、接点の経年劣化がなく、長期に亘って安定した感圧検出が行え、メンテナンスコストを削減できる。【００２７】
(3) 加圧入力に応じたレベルの感圧出力が得られ、感圧出力のレベルを用いた処理など、処理の自由度を拡大できる。【００２８】
そして、本発明の他の目的、特徴及び利点は、添付図面及び各実施の形態を参照することにより、一層明確になるであろう。
【図面の簡単な説明】
【００２９】
【図１】一実施の形態に係る感圧検出方法および感圧センサーを説明するための図である。
【図２】Ａは、電極部１６ａ−１または電極部１６ａ−２のいずれか一方に加圧入力Ｍが加わる場合の感圧動作を示す図、Ｂは、電極部１６ａ−１および電極部１６ａ−２の双方に加圧入力Ｍが加わる場合の感圧動作を示す図、Ｃは、電極部１６ａ−１および電極部１６ａ−２に加わる加圧入力Ｍに偏りがある場合の感圧動作を示す図である。
【図３】Ａは、実施例１に係る感圧センサーの一部を省略して示す図、Ｂは、感圧センサーの積層断面の一部を示す図である。
【図４】感圧センサーの感圧動作を示す図である。
【図５】Ａは、実施例２に係るステップ装置を示す平面図、Ｂは、ＡのＶＢ−ＶＢ断面を示す図である。
【図６】Ａは実施例３に係る感圧検出システムを備えるビルを示す図、Ｂは感圧検出システムを示す図である。
【図７】感圧検出装置を示す図である。
【図８】感圧動作を示す図である。
【図９】実施例４に係るマットセンサーを示す図である。
【図１０】感圧動作および信号処理を示す図である。
【図１１】実施例５に係る電極部の一例を示す図である。
【図１２】他の電極部の一例を示す図である。
【図１３】他の電極部の一例を示す図である。
【図１４】他の電極部の一例を示す図である。
【図１５】他の電極部の一例を示す図である。
【図１６】他の電極部の一例を示す図である。
【図１７】他の電極部の一例を示す図である。
【図１８】他の電極部の一例を示す図である。
【図１９】実施例６に係る感圧検出装置を示す図である。
【発明を実施するための形態】
【００３０】
＜感圧検出方法および感圧センサー＞
【００３１】
図１のＡは、一実施の形態に係る感圧検出方法および感圧センサーを示している。
【００３２】
この感圧センサー２には検出領域４が備えられ、この検出領域４で加圧入力Ｍを受ける。この加圧入力Ｍは人または物などから加えられる圧力であり、人ではたとえば、足面からの圧力、物ではたとえば、底面からの圧力でよい。検出領域４は、人または物が通過するなどのエリアに設定すればよい。
【００３３】
この感圧センサー２には圧電層６が備えられる。この圧電層６は背面側に背面支持層８を備え、検出エリアのエリア側支持面１０に支持され、上面側に加圧入力Ｍを受ける圧力伝達層１２が備えられる。圧電層６はたとえば、圧電シートであり、加圧入力Ｍが圧力伝達層１２を通して圧電層６に加えられ、圧電層６の圧電変換機能により圧電出力に変換される。
【００３４】
圧電層６には図１のＢに示すように、上面側に加圧入力面部１４ａ、下面側に支持面部１４ｂを備える。つまり、加圧入力面部１４ａは加圧入力Ｍの受圧面であり、支持面部１４ｂは加圧入力Ｍを背面側で受け止める支持面である。
【００３５】
この圧電層６には単一または複数のパターン電極対の一例として、電極対１６が備えられる。この電極対１６は、加圧入力面部１４ａ側にある電極１６ａに電極部１６ａ−１、１６ａ−２、支持面部１４ｂ側にある電極１６ｂに電極部１６ｂ−１、１６ｂ−２が備えられる。つまり、電極部１６ａ−１、１６ａ−２は加圧入力面部１４ａより狭い電極面を持ち、電極部１６ｂ−１、１６ｂ−２も同様である。
【００３６】
図１のＣに示すように、隣接して配置された電極部１６ａ−１、１６ａ−２の間には狭隘な絶縁間隔１８が設定され、電極部１６ｂ−１、１６ｂ−２の間にも同様な絶縁間隔１８が設定されている。
【００３７】
このように電極対１６は、複数の電極部１６ａ−１、１６ａ−２または電極部１６ｂ−１、１６ｂ−２を備えて複数の電極面を持つパターン電極を形成している。この例では、電極部１６ｂ−１、１６ｂ−２もパターン電極を形成しているが、一方の電極部１６ａ−１、１６ａ−２のみでパターン電極を形成し、電極部１６ｂ−１、１６ｂ−２を単一の電極部としてよい。
【００３８】
したがって、このような電極対１６を備える感圧センサー２で加圧入力Ｍを受ける場合、電極部１６ａ−１または電極部１６ａ−２のいずれか一方に加圧入力Ｍが加わる場合、電極部１６ａ−１および電極部１６ａ−２の双方に加圧入力Ｍが加わる場合、電極部１６ａ−１および電極部１６ａ−２に加わる加圧入力Ｍに偏りがある場合のパターンが存在することになる。
【００３９】
＜電極部１６ａ−１または電極部１６ａ−２の一方に加圧入力Ｍが加わる場合＞
【００４０】
図２のＡに実線で示すように、電極部１６ａ−１に加圧入力Ｍが加われば、電極部１６ａ−１から圧電出力が得られる。また、図２のＡに破線で示すように、電極部１６ａ−２に加圧入力Ｍが加われば、電極部１６ａ−２から圧電出力が得られる。これは電極部１６ａ−１、１６ａ−２の各圧電出力を差動増幅器などで比較、増幅すれば、判別できる。
【００４１】
＜電極部１６ａ−１および電極部１６ａ−２の双方に加圧入力Ｍが加わる場合＞
【００４２】
図２のＢに実線で示すように、電極部１６ａ−１、１６ａ−２に共通に加圧入力Ｍが加われば、電極部１６ａ−１、１６ａ−２の双方から圧電出力が得られる。電極部１６ａ−１、１６ａ−２の双方に同一の圧力が加われば、電極部１６ａ−１、１６ａ−２から同一の圧電出力が得られることになる。これは電極部１６ａ−１、１６ａ−２の各圧電出力を比較することにより、同様に判別できる。
【００４３】
＜電極部１６ａ−１および電極部１６ａ−２に加わる加圧入力Ｍに偏りがある場合＞
【００４４】
図２のＣに実線で示すように、電極部１６ａ−１、１６ａ−２に加わる加圧入力Ｍが電極部１６ａ−１側に強く作用すれば、電極部１６ａ−１から得られる圧電出力が電極部１６ａ−２から得られる圧電出力より大きくなる。また、図２のＣに破線で示すように、電極部１６ａ−１、１６ａ−２に加わる加圧入力Ｍが電極部１６ａ−２側に強く作用すれば、電極部１６ａ−２から得られる圧電出力が電極部１６ａ−１から得られる圧電出力より大きくなる。これは電極部１６ａ−１、１６ａ−２の各圧電出力を比較することにより、同様に判別できる。
【００４５】
＜圧電層６の材質など＞
【００４６】
圧電層６は、単一部材または複数の部材の積層体の圧電機能層であればよい。この圧電層６は、両面平滑化層、保護層、絶縁層などを積層させてよいし、モノモルフやバイモルフおよび積層型でもよい。この圧電層６は圧電性樹脂からなるシート、多孔質樹脂シートなどの有機圧電層でもよく、水晶、チタン酸バリウム、チタン酸ジルコン酸鉛などの無機圧電材料層でもよい。
【００４７】
圧電層６には厚さ方向の振動検出でより優れた振動検出機能を達成するため、たとえば、圧電定数ｄ３３が好ましくは２０×１０−１２〔Ｃ／Ｎ〕以上、より好ましくは１００×１０−１２〔Ｃ／Ｎ〕以上の圧電材料を用いればよい。
【００４８】
圧電層６にはたとえば多孔質樹脂シートを用いればよい。この多孔質樹脂シートには次のような特徴がある。
【００４９】
ａ）微小振動圧に対する電荷応答性や検出機能が高く、高温環境下で電荷保持が可能である。優れた検出機能が得られ、高い可撲性や耐衝撃性とともに、軽量化を図ることができる。
【００５０】
ｂ）感圧センサー２の薄膜化や、大面積化等の任意の形状もしくは曲面形状、検出面形状に対する形状追従性が得られ、検出面の自由度が拡大する。
【００５１】
そして、多孔質樹脂シートは、電荷を保持し得るたとえば、有機系材料からなるシートであることが好ましい。この多孔質樹脂シートには、ファイバーからなる不織布または織布、有機重合体からなるシート状の発泡体、有機重合体からなる延伸多孔質膜、マトリックス樹脂と電荷誘起性中空粒子（中空粒子の表面の少なくとも一部に導電性物質が付着している粒子）とを含む多孔質樹脂シート、有機重合体中に分散させた相分離化剤を超臨界二酸化炭素などの抽出剤を用いて除去し空孔を形成する方法によって形成されるシートなどが含まれる。耐久性や変形性能の維持の側面からみれば、ポリマー製ファイバーを用いた不織布または織布が好ましい。
【００５２】
多孔質樹脂シートには１種または２種以上の無機フィラーを含んでもよい。これにより、電荷保持量が高く、優れた圧電特性が得られる。無機フィラーを用いれば、高圧電率を持つシートが得られる。無機フィラーには、ポリマーより高誘電率のものが好ましく、比誘電率ε＝１０〜１００００のものを用いてよい。無機フィラーには酸化チタン、酸化アルミニウム、チタン酸バリウム、チタン酸ジルコン酸鉛、酸化ジルコニウム、酸化セリウム、酸化ニッケル、酸化スズなどが含まれる。
【００５３】
多孔質樹脂シートの厚さは、たとえば１０〔μｍ〕〜１〔ｍｍ〕でよく、より好ましくは５０〔μｍ〕〜５００〔μｍ〕でよい。高電荷保持性を得るには、空孔率が好ましくは６０〔％〕以上、より好ましくは７５〔％〕以上、さらに好ましくは８０〜９９〔％〕でよい。この空孔率は、
（樹脂の真密度−多孔質樹脂シートの見掛けの密度）×１００／樹脂の真密度
・・・(1) 
により求められる。見掛けの密度には、多孔質樹脂シートの重量および見掛けの体積を用いて算出される値を用いればよい。
【００５４】
ファイバーを構成するためのポリマーは、体積抵抗率が１．０×１０１３〔Ω・ｃｍ〕以上のものがよく、たとえばポリアミド系樹脂（６−ナイロン、６，６−ナイロンなど）、芳香族ポリアミド系樹脂（アラミドなど）、ポリオレフィン系樹脂（ポリエチレン、ポリプロピレンなど）、ポリエステル系樹脂（ポリエチレンテレフタラートなど）、ポリアクリロニトリル、フェノール系樹脂、フッ素系樹脂（ポリテトラフルオロエチレン、ポリフッ化ビニリデンなど）、イミド系樹脂（ポリイミド、ポリアミドイミド、ビスマレイミドなど）などの何れかでよい。
【００５５】
耐熱性や耐候性に優れるなどの点からすれば、分子および結晶構造に起因する双極子を持たないポリマーが好ましい。たとえば、ポリオレフィン系樹脂（ポリエチレン、ポリプロピレン、エチレンプロピレン樹脂など）、ポリエステル系樹脂（ポリエチレンエレフタラートなど）、ポリウレタン樹脂、ポリスチレン樹脂、シリコーン樹脂等の非フッ素系樹脂、および、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）などのフッ素系樹脂などを用いてよい。
【００５６】
耐熱性や耐候性などを考慮すれば、連続使用可能温度が高く、ガラス転移点を使用温度域に持たないことが好ましい。たとえばＵＬ７４６Ｂ（ＵＬ規格）の連続使用温度試験によれば、ポリマーの連続使用可能温度は好ましくは５０〔℃〕以上であること、より好ましくは１００〔℃〕以上であること、さらに好ましくは２００〔℃〕以上であればよい。耐湿性を考慮すれば、溌水性を示すものが好ましい。
【００５７】
これらの特性を備えるポリマーには、たとえばポリオレフィン系樹脂や、フッ素系樹脂を用いればよい。ポリオレフィン系樹脂や、フッ素系樹脂を用いれば、１００〔℃〕下や１００〔℃〕を超える高温下での振動検出においても、圧電特性に低下を来すことなく、振動検出が可能となる。フッ素系樹脂ではＰＴＦＥが好ましい。
【００５８】
ＰＴＦＥでは、耐熱性、振動検知能および耐久性に優れ、高温下での加圧検出が可能な感圧センサー２を実現でき、高温および高圧の環境下で、振動検出性能や構造の維持が可能である。
【００５９】
圧電層６を形成するためのファイバーについて、平均繊維径が好ましくは０．０５〜５０〔μｍ〕、より好ましくは０．１〜２０〔μｍ〕、さらに好ましくは０．３〜５〔μｍ〕でよい。平均繊維径がこの範囲内であれば、高柔軟性を示す不織布または織布が得られる。繊維表面積が大きくなれば、電荷を保持するに十分な空間が形成でき、不織布または織布を薄く形成した場合にも繊維の分布均一性を高くできる。
【００６０】
ファイバーの平均繊維径は、ファイバーの形成条件の選択で調整できる。たとえば、電界紡糸法によれば、電界紡糸の際に湿度を下げ、ノズル径を小さくし、印加電圧を高くし、または電圧密度を高くすることにより、得られたファイバーの平均繊維径が小さくなる傾向がある。
【００６１】
ここで、平均繊維径は、測定対象であるファイバー（群）を走査型電子顕微鏡（Scanning Electron Microscope：ＳＥＭ） 観察し、１０，０００倍の倍率で観測したＳＥＭ画像から無作為に複数のたとえば、２０本のファイバーを選び、これらの繊維径（長径）の測定結果による平均値から求めればよい。
【００６２】
ファイバーの繊維径変動係数は、下記式で算出される値から好ましくは０．７以下、より好ましくは０．０１〜０．５であればよい。この繊維径変動係数が所定の範囲内にあれば、ファイバーの繊維径が均一となり、このファイバーで得られる不織布または織布はより高い空孔率を有し、電荷保持性の高い多孔質樹脂シートを得る上からも好ましい。
【００６３】
繊維径変動係数＝標準偏差／平均繊維径      ・・・(2) 
なお、「標準偏差」とは、前記２０本のファイバーの繊維径の標準偏差である。
【００６４】
ファイバーの繊維長は、好ましくは０．１〜１０００〔ｍｍ〕、より好ましくは０．５〜１００〔ｍｍ〕、さらに好ましくは１〜５０〔ｍｍ〕であればよい。
【００６５】
ファイバーは、たとえば、電界紡糸法、溶融紡糸法、溶融電界紡糸法、スパンボンド法（メルトブロー法）、湿式法、スパンレース法により製造すればよい。電界紡糸法により得られるファイバーは繊維径が小さい。このファイバーを用いた不織布または織布では、空孔率が高くかつ高比表面積であり、高い圧電性を有する多孔質樹脂シートを得ることができる。
【００６６】
電界紡糸法では、ポリマーおよび必要に応じて溶媒を含む紡糸液が用いられる。ポリマーは、１種単独で用いてもよく、２種以上を用いてもよい。紡糸液中に含まれるポリマーの割合は、例えば５〜１００〔重量％〕、好ましくは５〜８０〔重量％〕、より好ましくは１０〜７０〔重量％〕でよい。
【００６７】
溶媒はポリマーを溶解しまたは分散し得るものであればよく、限定されない。溶媒はたとえば、水、ジメチルアセトアミド、ジメチルホルムアミド、テトラヒドロフラン、メチルピロリドン、キシレン、アセトン、クロロホルム、エチルベンゼン、シクロヘキサン、ベンゼン、スルホラン、メタノール、エタノール、フェノール、ピリジン、プロピレンカーボネート、アセトニトリル、トリクロロエタン、ヘキサフルオロイソプロパノール、ジエチルエーテルのいずれでもよい。これらの溶媒は、１種単独で用いてもよいし、２種以上を組み合わせた混合溶媒を用いてもよい。紡糸液中に含まれる溶媒は、たとえば、０〜９０〔重量％〕、好ましくは１０〜９０〔重量％〕、より好ましくは２０〜８０〔重量％〕でよい。
【００６８】
紡糸液は、ポリマー以外の無機フィラー、界面活性剤、分散剤、電荷調整剤、機能性粒子、接着剤、粘度調整剤、繊維形成剤などの添加剤を含んでよい。添加剤は、１種単独で用いてもよく、２種以上でもよい。紡糸液において、ポリマーの溶媒への溶解度が低い場合、たとえば、ポリマーがＰＴＦＥであり、溶媒が水である場合、紡糸時にポリマーを繊維形状に保持させるには１種または２種以上の繊維形成剤を含むことが好ましい。
【００６９】
溶媒に対し高い溶解度を有するポリマーであることが好ましい。繊維形成剤としてたとえば、ポリエチレンオキサイド、ポリエチレングリコール、デキストラン、アルギン酸、キトサン、でんぷん、ポリピニルピロリドン、ポリアクリル酸、ポリメタクリル酸、ポリアクリルアミド、セルロース、ポリビニルアルコールが挙げられる。繊維形成剤の使用量は、溶媒の粘度、溶媒への溶解度にもよるが、紡糸液中にたとえば、０．１〜１５〔重量％〕、好ましくは１〜１０〔重量％〕でよい。
【００７０】
紡糸液は、ポリマー、溶媒および必要に応じて添加剤を公知の方法で混合して製造すればよい。ポリマーがＰＴＦＥであれば、紡糸液として、ＰＴＦＥを３０〜７０〔重量％〕、好ましくは３５〜６０〔重量％〕含み、繊維形成剤を０．１〜１０〔重量％〕、好ましくは１〜７〔重量％〕含み、合計が１００〔重量％〕の溶媒を含む紡糸液が好ましい。
【００７１】
電界紡糸を行う際の印加電圧は、好ましくは１〜１００〔ｋＶ〕、より好ましくは５〜５０〔ｋＶ〕、さらに好ましくは１０〜４０〔ｋＶ〕でよい。
【００７２】
電界紡糸に用いられる紡糸ノズルの先端径（外径）は、好ましくは０．１〜２．０〔ｍｍ〕、より好ましくは０．２〜１．６〔ｍｍ〕でよい。
【００７３】
たとえば、紡糸液を用いる場合、印加電圧は、好ましくは１０〜５０〔ｋＶ〕、より好ましくは１０〜４０〔ｋＶ〕である。紡糸ノズルの先端径（外径）は、好ましくは０．３〜１．６〔ｍｍ〕でよい。
【００７４】
ファイバーで不織布を形成するにはたとえば、電界紡糸法を用いて、ファイバーを製造する工程、およびファイバーをシート状に集積して不織布を形成する工程を同時に行ってよいし、ファイバーを製造する工程の後、湿式法により前記ファイバーをシート状に集積して不織布を形成する工程を行ってよい。
【００７５】
湿式法による不織布の形成ではたとえば、ファイバーを含有する水分散液を用い、メッシュ上にファイバーを堆積（集積）させてシート状に成形（抄紙）する方法を用いてよい。
【００７６】
この湿式法におけるファイバーの使用量は、水分散液全量に対して、好ましくは０．１〜１０〔重量％〕、より好ましくは０．１〜５〔重量％〕でよい。この範囲内でファイバーを使用すれば、ファイバーを堆積させる工程で水を効率よく活用でき、また、ファイバーの分散状態がよく、均一な湿式不織布が得られる。
【００７７】
水分散液には、分散状態を良好にするためにカチオン系、アニオン系、ノニオン系等の界面活性剤などからなる分散剤や油剤、また、泡の発生を抑制する消泡剤等をそれぞれ１種または２種以上を添加してよい。
【００７８】
ファイバーによる織布の製造方法には、ファイバーの製造工程、この工程で得られたファイバーをシート状に製織する織布形成工程を含んでよい。ファイバーをシート状に製織する方法には、公知の製織方法を用いてよい。この製織方法にはウォータージェットルーム、エア−ジェットルーム、レピアルームなどの方法が挙げられる。
【００７９】
ポリマーがＰＴＦＥであれば、不織布または織布の形成後、加熱処理を行うことが好ましい。この加熱処理では、該不織布または織布を、通常２００〜３９０〔℃〕、３０〜３００〔分〕の条件で熱処理すればよい。この加熱処理を行えば、不織布または織布に残留する溶媒や繊維形成剤などを除去できる。
【００８０】
不織布の製造方法の一例として、電界紡糸法によるＰＴＦＥからなるファイバーの製造工程を含む場合を例示する。ＰＴＦＥファイバーからなる不織布の製造方法には公知の製造方法を採用でき、たとえば、特表２０１２−５１５８５０号公報に記載された方法が挙げられる。この製造方法には、ＰＴＦＥ、繊維形成剤および溶媒を含み、少なくとも５０，０００〔ｃＰ〕の粘度を有する紡糸液を提供するステップと、紡糸液をノズルより紡糸し静電的牽引力によりファイバー化するステップと、前記ファイバーをコレクター（例：巻き取りスプール）の上に集め、前駆体を形成するステップと、前駆体を焼成して溶媒および繊維形成剤を除去することでＰＴＦＥファイバーからなる不織布を形成するステップとが含まれる。
【００８１】
不織布および織布の目付は、好ましくは１００〔ｇ／ｍ２〕以下、より好ましくは０．１〜５０〔ｇ／ｍ２〕、さらに好ましくは０．１〜２０〔ｇ／ｍ２〕でよい。目付は、紡糸時間を長くし、紡糸ノズル数を増やすなどにより、増大する傾向を呈する。
【００８２】
不織布および織布は、ファイバーをシート状に集積または製織している。斯かる不織布および織布は、単層から構成されるもの、または材質や繊維径の異なる２層以上から構成されるものの何れでもよい。
【００８３】
そして、多孔質樹脂シートは、分極処理されたものが好ましい。分極処理をすれば、該シートに電荷を注入でき、該電荷は、多孔質樹脂シート内の空孔内に集中して分極を誘起させる。内部分極したシートでは、該シートの厚さ方向に印加される圧縮荷重により、シートの表裏面から該電荷を取り出すことが可能である。つまり、斯かる電荷が外部負荷（電気回路）に対して電荷移動を生じ、起電力が得られる。これが電位差、つまり電圧を生起させる。
【００８４】
分極処理の方法には、公知の方法を用いてよく、たとえば、直流電圧や交流電圧の印加処理の他、コロナ放電処理を用いればよい。
【００８５】
コロナ放電処理では、高電圧電源および電極装置を用いればよい。放電条件は、多孔質樹脂シートの材料および厚さに応じて適宜選択し、たとえば、ＰＴＦＥからなる多孔質樹脂シートであれば、好ましい処理条件として、電圧が−０．１〜−１００〔ｋＶ〕、より好ましくは−１〜−２０〔ｋＶ〕、電流が０．１〜１００〔ｍＡ〕、より好ましくは１〜８０〔ｍＡ〕、電極間距離が０．１〜１００〔ｃｍ〕、より好ましくは１〜１０〔ｃｍ〕、印加電圧が０．０１〜１０．０〔ＭＶ／ｍ〕、より好ましくは０．５〜２．０〔ＭＶ／ｍ〕とすればよい。
【００８６】
分極処理について、多孔質樹脂シート単体に対して分極処理をしてよいが、圧電層として、たとえば、多孔質樹脂シートと絶縁層などとの積層体を構成するのであれば、該積層体を形成した後、絶縁層の積層後に分極処理をすることが好ましい。多孔質樹脂シートに積層される層は、分極処理により多孔質樹脂シートに保持された電荷が外部環境と電気的に接続して減衰するのを防止する役割を果たす。これにより、加圧検出の高感度化に寄与する。また、多孔質樹脂シートと多孔質樹脂シートに積層される層との間に電荷を保持し得る新たな界面を形成できる傾向にある。これにより、多孔質樹脂シートの圧電率が向上すると考えられる。
【００８７】
＜電極対１６の材質など＞
【００８８】
電極対１６は少なくとも一対の電極１６ａ、１６ｂが含まれる。各電極１６ａ、１６ｂは電極層でよい。電極層の構成材料は、金属（合金）、金属酸化物、金属硫化物、導電性炭化物、導電性高分子およびこれらの組み合わせなど、いずれでもよい。金属（合金）、金属酸化物、金属硫化物には、リチウム、ベリリウム、マグネシウム、カルシウム、ストロンチウム、バリウム、ホウ素、アルミニウム、ガリウム、インジウム、アンチモン、錫、銀、金、銅、ニッケル、パラジウム、白金、クロム、モリブデン、タングステン、マンガン、コバルト、これらの合金、これらの酸化物、これらの複合酸化物、これらの硫化物が含まれ、酸化インジウムスズ（Indium Tin Oxide：ＩＴＯ）、酸化亜鉛（Zinc Oxide：ＺｎＯ）、銀などが好適である。
【００８９】
導電性炭化物には、カーボンブラック、黒鉛、活性炭、炭素繊維、シングルウォールカーボンナノチューブ（Single-Walled Carbon Nanotube：ＳＷＣＮＴ）、ダブルウォールカーボンナノチューブ（Double-Walled Carbon Nanotube：ＤＷＣＮＴ）、マルチウォールカーボンナノチューブ（Multi-Walled Carbon Nanotube：ＭＷＣＮＴ）、カーボンナノシート（グラフェンシート) などが含まれる。導電性高分子には、ポリ （エチレン−３, ４−ジオキシチオフェン）、ポリアニリン誘導体、ポリピロール誘導体などが含まれる。
【００９０】
この一実施の形態では、分極処理が施された圧電層６の表裏面にアルミニウムをスパッタリング処理して厚さ０．５〔μｍ〕程度の電極層を形成し、この電極層を以て電極対１６を形成した。電極１６ａは加圧入力面部１４ａにある電極層であり、電極１６ｂは支持面部１４ｂにある電極層である。これら電極層は圧電層６の介在によって電気的に絶縁状態に維持されている。
【００９１】
＜一実施の形態の効果＞
【００９２】
(1) この感圧センサー２では、電極対１６が複数の電極部１６ａ−１、１６ａ−２を備えているので、加圧入力面部１４ａから不感領域を削減でき、加圧入力Ｍの検出効力が高められる。
【００９３】
(2) この感圧センサー２では、圧電層６と電極対１６によって加圧入力Ｍを検出しており、接点や、接点間の弾性による間隔保持が不要であり、接点の経年劣化がなく、長期に亘って安定した感圧検出が行え、メンテナンスコストを削減できる。
【００９４】
(3) 加圧入力Ｍの大きさや位置を表す圧電出力が得られ、圧電出力を用いて加圧入力の位置、大きさ、分布など多様な処理に利用でき、圧電出力を用いた各種処理の自由度を拡大できる。
【００９５】
(4) この感圧センサー２によれば、検出領域４に入る人や物から加圧入力Ｍを受けることにより、人や物を検出することができる。
【００９６】
(5) 電極対１６が複数の電極部１６ａ−１、１６ａ−２を備えたパターン電極対であるから、加圧入力Ｍの入力位置やそのレベルを検出することができる。
【００９７】
(6) 狭い複数の電極面を持つ複数の電極部によってパターン電極を形成したので、検出領域に複数の電極部を配設でき、不感領域を削減できる。
【実施例１】
【００９８】
図３のＡは、実施例１に係るマットセンサーの一部を省略した断面を示している。図１と同一部分には同一符号を付してある。【００９９】
このマットセンサー２０は既述の感圧センサー２の一例である。このマットセンサー２０には、上面側から背面側に向かって受圧層２２、圧電積層体２４および背面支持層２６が備えられ、これらの積層体を本体部とし、封止層２８が一体に備えられる。受圧層２２、圧電積層体２４、背面支持層２６および封止層２８の積層構造体は張り合わせて形成してもよく、エラストマとの一体成形体の何れでもよい。【０１００】
受圧層２２は既述の圧力伝達層１２の一例であり、受圧面部材としてたとえば、弾性層２２−１を主層に、上面側に滑止め層２２−２を備える。弾性層２２−１は圧電層６を覆う粘弾性保護層の一例である。この弾性層２２−１には弾性材料または粘弾性材料としてたとえば、熱硬化性ポリマー（エポキシ樹脂、熱硬化性ゴム、ポリウレタン、フェノール樹脂、イミド樹脂、シリコーン樹脂等）や熱可塑性ポリマー（アクリル樹脂、ポリオレフィン樹脂、フッ素樹脂等）のシートで形成すればよい。滑止め層２２−２は従来公知の滑止め層を用いればよく、マットセンサー２０の踏み面を構成し、摩擦材として歩行者の靴底などの底面にフリクションを付与する。【０１０１】
圧電積層体２４はたとえば、圧電層６および電極対１６で構成され、この実施例では、電磁シールド３０を含んでひとつの積層体としている。圧電層６にはたとえば、ＰＦＡ・ＰＴＦＥ不織布・ＰＦＡ積層体からなる圧電シートを用いればよい。圧電層６および電極対１６の電磁シールド３０として、上側および下側にシールド層３０−１、３０−２が備えられる。電極対１６には、既述のパターン電極対が用いられ、たとえば、電極材料としてアルミニウムなどが用いられる。【０１０２】
シールド層３０−１は、図３のＢに示すように、導体層３０−１１の上下側に絶縁層３０−１２、３０−１３を設置した積層体である。同様に、シールド層３０−２も導体層３０−２１の上下側に絶縁層３０−２２、３０−２３を設置した積層体である。導体層３０−１１、３０−２１は導体材料としてたとえば、アルミニウムを用いればよい。【０１０３】
背面支持層２６は、既述の背面支持層８（図１）に相当する。この背面支持層２６には下側に剛性層２６−１、上側に弾性層２６−２が備えられる。剛性層２６−１は剛性材料としてたとえば、ステンレスなどの金属板で形成される。このマットセンサー２０は剛性層２６−１を以てエリア側支持面１０に設置されて支持される。弾性層２６−２は弾性材料としてたとえば、熱硬化性ポリマー（エポキシ樹脂、熱硬化性ゴム、ポリウレタン、フェノール樹脂、イミド樹脂、シリコーン樹脂等）や熱可塑性ポリマー（アクリル樹脂、ポリオレフィン樹脂、フッ素樹脂等）のシートで形成すればよい。つまり、背面支持層２６は、エリア側支持面１０側の剛性層２６−１による剛性と、弾性層２６−２の弾性とを以て強固に支持され、マットセンサー２０に加わる加圧入力Ｍが背面支持層２６側で受け止められる。【０１０４】
封止層２８は封止材料で成形され、マットセンサー２０の本体部側と着脱可能としてよい。【０１０５】
このマットセンサー２０では、弾性層２２−１、２６−２の厚さをＤ１、Ｄ２とすれば、Ｄ１＞Ｄ２に設定されている。同一の弾性を備えた場合にはたとえば、Ｄ１＝Ｄ２×２とすればよい。これにより、踏み面側にある弾性層２２−１に加わる衝撃を吸収することができ、圧電積層体２４に伝わる衝撃を緩衝できる。弾性層２２−１、２６−２の厚さ設定は一例であり、たとえば、弾性層２２−１側に衝撃吸収機能の高い弾性材料を用いれば厚さ設定をＤ１＝Ｄ２としてもよい。【０１０６】
＜実施例１の効果＞【０１０７】
(1) このマットセンサー２０によれば、既述の一実施の形態と同様の効果を得ることができる。【０１０８】
(2) このマットセンサー２０は図４に示すように、建築物や構造物にあるステップ面などの床面に設置し、人や物の存在の有無、通過、集合、床面上の分布などを検出できる。その際、加圧入力Ｍは滑止め層２２−２および弾性層２２−１を介して圧電積層体２４に加わり、背面支持層２６側の弾性層２６−２および剛性層２６−１を通してエリア側支持面１０により支持される。これにより、圧電層６には加圧入力面部１４ａ側に加圧入力Ｍが作用して圧電変換を生じ、この加圧入力Ｍのレベルに応じた圧電出力を電極対１６から取り出すことができ、高感度の感圧検出を行うことができる。【０１０９】
(3) 弾性層２２−１で衝撃を吸収できるので、圧電積層体２４を衝撃から防護でき、電極対１６の破損や圧電層６の検出機能の衝撃劣化を防止できる。【０１１０】
(4) 踏み面に滑止め層２２−２が設置されるので、靴などの底面との間に適当な摩擦を付与でき、人の歩行の妨げを防止できる。また、物では滑動状態を防止できる。【０１１１】
(5) このマットセンサー２０では、従前の圧力スイッチのように、弾性体によって電極間隔を維持し、弾性の伸縮で電極間をＯＮ・ＯＦＦさせる弾性支持構造を備えていないので、弾性劣化による検出劣化や、接点間摩耗を生じることがなく、信頼性の高い安定した感圧検出を持続でき、メンテナンス性に優れる。
【実施例２】
【０１１２】
図５のＡは、実施例２に係るステップ装置を示している。このステップ装置４０には装置筐体４２とともに既述のマットセンサー２０が備えられる。装置筐体４２はたとえば、偏平な長方形状であり、マットセンサー２０を収納するためのマットセンサー固定部４４を備えている。このマットセンサー固定部４４にマットセンサー２０が設置されている。マットセンサー２０は破線で示すように、加圧入力Ｍの圧電変換可能な感圧範囲４６を備える。【０１１３】
ステップ装置４０には制御部４８が備えられ、この制御部４８は図５のＢに示すように、マットセンサー２０の背面側に設置されている。図５のＢは、図５のＡのＶＢ−ＶＢ線断面を示している。装置筐体４２にはマットセンサー２０の背面側に制御部４８を収納する基板収納部５０が形成されている。この例では、基板収納部５０は図中、装置筐体４２の長手方向の端に設置されているが、何れの箇所に設置してもよい。【０１１４】
制御部４８には信号線５２−１、５２−２および電源線５４が備えられる。信号線５２−１、５２−２は外部装置に導かれ、電源線５４は電源に導かれて給電される。【０１１５】
＜実施例２の効果＞【０１１６】
(1) 装置筐体４２は金属などの剛性の高い材料で形成でき、マットセンサー２０を防護することができる。剛性の高い材料であれば、マットセンサー２０を備えるステップ装置４０における装置筐体４２の占有体積を削減できる。【０１１７】
(2) 感圧範囲４６は長方形状など、検出領域４に対して任意に設定できる。実施例２では装置筐体４２の平面部の面積より小さく設定しているが、同等に設定することもでき、感圧範囲４６を拡大したステップ装置４０を実現できる。【０１１８】
(3) 制御部４８はマットセンサー２０の背面の何れの位置に設定してもよく、この制御部４８をマットセンサー２０と装置筐体４２を以て防護でき、マットセンサー２０の検出出力による制御動作の信頼性を維持することができる。【０１１９】
(4) このようなステップ装置４０によれば、軽量化とともに偏平化を図ることができ、ステップに対する専有体積を削減できる。
【実施例３】
【０１２０】
図６のＡは、実施例３に係る感圧検出システムを備えるビルを示している。この感圧検出システム３８は、既述のステップ装置４０を備える。【０１２１】
ビル５６は建築物や構造物の一例である。このビル５６の出入口部５８には自動ドア６０が備えられ、この自動ドア６０の近傍にステップ装置４０が備えられる。この自動ドア６０は左右に開閉し、開状態で人などの出入りが可能である。ステップ装置４０は、この出入口部を出入りする人や物から受ける加圧を検出する。【０１２２】
図６のＢは、感圧検出装置６４の一例を示している。この感圧検出装置６４は、マットセンサー２０を備えて感圧検出を行う。この例では、ビル５６側に制御部４８が備えられ、感圧検出装置６４とともに電源部６５、駆動機構部６６および表示部６８が備えられる。電源部６５には給電線７０から給電される。この給電電圧は変圧器７４で降圧され、整流器７６で整流されて駆動電圧に変換される。この駆動電圧が制御部４８に印加される。制御部４８はたとえば、コンピュータで構成され、マットセンサー２０のセンサー出力を受け、人の有無、通過、混雑状況などを表す情報を生成する。【０１２３】
駆動機構部６６はたとえば、自動ドア６０の開閉駆動機構である。表示部６８は情報提示手段の一例であり、制御部４８によって制御され、出力情報として既述の人の有無、通過、混雑状況などの情報を提示する。【０１２４】
図７は、感圧検出装置６４を示している。制御部４８には増幅部７８、波形成形部８０および信号処理部８２が備えられる。増幅部７８はたとえば、プリアンプであり、マットセンサー２０のセンサー出力を増幅する。波形成形部８０または信号処理部８２は信号変換部の一例である。波形成形部８０は増幅部７８の出力波形を成形し、たとえば、パルス波形に変換する。信号処理部８２はパルス波形を増幅して取り出す機能や、波形のレベル判定機能、表示部６８の制御機能を備えてよい。つまり、判定機能では人の存在、通過などをレベル変化から判定し、その判定結果を表す出力を得ることができる。制御機能を備える信号処理部８２は判定手段または処理手段の一例であり、人や物の有無、位置、通過または集合の何れかに応じ、機器の一例である表示部６８の動作開始や動作停止を行う制御手段でもある。【０１２５】
表示部６８には信号処理部８２の出力を受け、既述の判定結果を視覚情報で表示する。この表示部６８には測定値を示すメーターや、人数などを点灯表示するＬＥＤ（Light Emitting Diode）などのランプ、判定出力を音で出力するスピーカや警報機を用いてよい。つまり、表示部６８は信号処理部８２とともに、感圧出力を光信号や、音信号に変換する信号変換手段の一例でもある。【０１２６】
図８は、感圧動作および制御部４８の信号処理の動作を示している。図８のＡに示すように、マットセンサー２０には人からの加圧入力Ｍが加わり、その加圧入力Ｍが解除されると、それを表す圧電出力Ａ１、Ａ２が現れる。つまり、加圧入力Ｍの入力時点ｔａで急峻に立ち上がる先鋭なパルス状の圧電出力Ａ１が生じ、加圧入力Ｍが静圧化状態に移行すると、圧電出力Ａ１は０レベル状態に移行する。この静圧状態から加圧入力Ｍが解除されると、その解除時点ｔｂに圧電出力Ａ１と逆相関係の圧電出力Ａ２が生じる。圧電層６の圧電変換特性により、加圧入力Ｍの変化時点に圧電出力Ａ１、Ａ２が生じ、圧電出力Ａ１、Ａ２のピーク転換の時間間隔Ｔは入力時点ｔａから解除時点ｔｂの時間間隔とほぼ一致している。したがって、このような圧電出力Ａ１、Ａ２のレベル情報および時間情報を用いれば、人の通過を判断することができる。【０１２７】
各圧電出力Ａ１、Ａ２は増幅部７８で増幅され、波形成形部８０の波形成形に適するレベルの電圧に変換され、波形成形部８０に入力される。【０１２８】
波形成形部８０では、図８のＢに示すように、波形成形が行われ、圧電出力Ａ１、Ａ２に同期したパルス波形が得られる。つまり、このパルス波形は、圧電出力Ａ１の立ち上がりに同期して立ち上がる前エッジ、圧電出力Ａ２の降下に同期して降下する後エッジ、圧電出力Ａ１、Ａ２間の時間間隔Ｔで一定電圧となる矩形波である。【０１２９】
この波形出力は信号処理部８２に加えられて閾値電圧Ｖｔｈと比較され、波形出力のレベル判断が行われる。この信号処理部８２では波形成形部８０の出力波形が閾値電圧Ｖｔｈを超える範囲を高レベル、それ以外を低レベルとする出力が得られる。【０１３０】
この結果、図８のＣに示すように、表示部６８には閾値電圧Ｖｔｈを超える範囲で点灯する表示出力が得られる。つまり、この点灯表示により、人の存在が視覚的に表示される。【０１３１】
＜実施例３の効果＞【０１３２】
(1) この感圧システム３８は、電源線と２本の信号線など、既設のセンサーシステムと同様であり、現行品に対応でき、置換することができる。【０１３３】
(2) この感圧システム３８にはゴムスペーサのないマットセンサー２０を用いているので、圧電層６やその積層体が持つ機能を有効に活用でき、長期に安定した動作を得ることができる。フッ素系圧電シートを用いたマットセンサー２０では、耐環境性に優れ、風雨に晒されても安定した動作を維持できる。【０１３４】
(3) マットセンサー２０では、シート状センサーである圧電層６を備えて全面センシングが可能であり、不感領域を削減できるので、検出効率を高めることができる。【０１３５】
(4) マットセンサー２０は有機積層体であり、機構部品などの複雑な機構を備えていないので、感圧システム３８の価格を低減化できる。【０１３６】
(5) ステップ装置４０にはＬＥＤによるインジケータを備えることにより、注意喚起や安全性の維持を図ることができる。このステップ装置４０では、人だけでなく物の有無、通過などの判定にも利用することができる。【０１３７】
(6) ステップ装置４０の駆動機構部６６の駆動開始や収納などの動作にもマットセンサー２０の感圧出力を利用することができる。【０１３８】
(7) ステップ装置４０はマットセンサー２０を備えて感圧検出を行うので、耐衝撃性が高く、メンテナンス性に優れ、防水性を高めることができる。【０１３９】
(8) ステップ装置４０にはマットセンサー２０側の配線を装置筐体４２に収納でき、制御部４８の出力線を最小限化できるので、配線数の削減とスマート化などを図ることができる。
【実施例４】
【０１４０】
図９は、実施例４に係るマットセンサー２０を示している。このマットセンサー２０では、圧電積層体２４の周辺回路として積分回路８４およびオペアンプ８６が備えられ、マットセンサー２０の内部に設置される。【０１４１】
積分回路８４にはキャパシタ８８が備えられ、このキャパシタ８８が圧電積層体２４の電極対１６間に接続されている。積分回路８４は、圧電積層体２４の圧電層６が持つインピーダンスを利用し、単一のキャパシタ８８で積分機能を実現している。この積分回路８４および圧電積層体２４はオペアンプ８６の非反転端子（＋）と電源９０の正極側の間に接続され、圧電出力の積分出力がオペアンプ８６の非反転端子（＋）に加えられる。【０１４２】
図１０は、このマットセンサー２０の動作を示している。仮想の加圧入力としてたとえば、錘を使用し、この錘をマットセンサー２０の踏み面に落下させる。図１０のＡに示すように、加圧入力時点ｔａで錘１個を落下させ、時点ｔｂでさらに錘１個を落下させ、時点ｔｃで錘１個を外し、加圧解除時点ｔｄで残りの錘１個を外して除圧している。したがって、加圧入力時点ｔａから加圧解除時点ｔｄの時間Ｔが静圧期間である。【０１４３】
図１０のＢに示すように、時点ｔａで加圧入力Ｍがマットセンサー２０に加わり、圧電出力Ａ１が生じる。この加圧入力Ｍの後、２つ目の錘を落下させて加圧入力Ｍを追加すると、この時点ｔｂで圧電出力Ａ２が生じる。ひとつの錘を除くと、その時点ｔｃで逆相の圧電出力Ａ３が生じ、さらに錘を外した時点ｔｄで逆相の圧電出力Ａ４が生じる。【０１４４】
これら圧電出力Ａ１、Ａ２、Ａ３、Ａ４はオペアンプ８６により増幅されて取り出され、既述の信号処理部８２に加えられる。【０１４５】
これにより、図１０のＣに示すように、波形成形出力が得られる。この波形成形出力では、圧電出力Ａ１に同期して立ち上がる出力波形Ｂ１、圧電出力Ａ２に同期して立ち上がる出力波形Ｂ２、圧電出力Ａ３に同期して降下する出力波形Ｂ３が生じ、圧電出力Ａ４に同期して出力波形Ｂ３は０レベルに降下する。【０１４６】
出力波形Ｂ１は、錘１個分を表すレベル、出力波形Ｂ２は、錘２個分を表すレベル、出力波形Ｂ３は、錘１個分を表すレベルを表している。つまり、時点ｔａで加圧入力Ｍの開始であり、この時点ｔａから時点ｔｄの除圧までの一定時間で静圧状態が維持される。【０１４７】
この静圧期間において、既述の表示部６８を用いれば、図１０のＤに示すように、静圧期間を点灯により表示することができる。【０１４８】
＜実施例４の効果＞【０１４９】
(1) このマットセンサー２０では、センサー内に積分回路８４やオペアンプ８６を内蔵することができ、ノイズ低減を図ることができ、加圧入力の検出感度を高めることができる。たとえば、入力電圧波形の１〔ｍｓ〕の時間積分値を電圧として出力させることができる。【０１５０】
(2) マットセンサー２０では、センサー内に積分回路８４やオペアンプ８６を備えるので、感圧判定側の回路構成を簡略化できる。【０１５１】
(3) 加除圧による電圧変化や加圧時点間の静圧検出が可能であり、静圧時および段階的な加圧、除圧に対する電圧出力を得ることができる。つまり、加圧入力に応じたレベルの電圧出力を取り出すことができる。【０１５２】
(4) 電圧出力と閾値との比較によるＯＮ、ＯＦＦ判定が可能であり、荷重による加圧入力が解除された時点でその判定出力を解除することができる。【０１５３】
(5) このような感圧判定によれば、人や物の有無、その集合量や分布を表す出力を容易に得ることができる。
【実施例５】
【０１５４】
＜有無判定が可能なパターン電極例＞【０１５５】
(1) 不感領域の最小限化【０１５６】
図１１のＡに示すように、電極１６ａまたは電極１６ｂの何れか一方またはそれぞれには、圧電層６の加圧入力面部１４ａに対し、連続するサーキット状の電極部９２−１、９２−２が備えられる。各電極部９２−１、９２−２はジグザグ状に屈曲する連続するサーキット状であり、圧電層６の加圧入力面部１４ａの全面を覆って配置されている。この例では、各電極部９２−１、９２−２の屈曲部が互いに噛み合うように配置され、検出領域４が二つの電極部９２−１、９２−２を以て覆われている。このような電極１６ａ、１６ｂに対し、背面側の電極１６ｂは、フラット電極面としてもよい。【０１５７】
このような電極１６ａ、１６ｂにサーキット状の電極部９２−１、９２−２を備えれば、検出領域４を全面的に網羅でき、不感領域を最小限にでき、検出効率を高めることができる。【０１５８】
各電極１６ａ、１６ｂは、図１１のＢに示すように、サーキット状の電極部９２−１、９２−２の上下方向の位置をずらして配置してもよいし、図１１のＣに示すようにサーキット状の各電極部９２−１、９２−２の位置を９０度だけずらして配置してもよい。【０１５９】
(2) 電極１６ａ、１６ｂの分散化【０１６０】
図１２のＡに示すように、電極１６ａまたは電極１６ｂの何れか一方またはそれぞれを小さい矩形の電極部９４−１、９４−２に分割し、検出領域４を分散化してもよい。係る構成によれば、電極１６ａ、１６ｂの分散化により感圧度を安定化させることができる。破線で示す靴跡９６のように、電極部９４−１、９４−２に跨がって加圧入力Ｍが生じれば、電極部９４−１、９４−２の双方から圧電出力を得ることができる。【０１６１】
図１２のＢに示すように、電極１６ａ、１６ｂのそれぞれを電極部９８−１、９８−２、９８−３に３分割し、検出領域４を分散化してよい。この場合、長方形状の検出領域４の中央に二等辺三角形の電極部９８−１が配置され、電極部９８−１の各斜辺側に直角二等辺三角形の電極部９８−２、９８−３が配置されている。係る構成によれば、電極１６ａまたは電極１６ｂの分散化で同様に感圧度を安定化させることができる。この場合、破線で示す靴跡９６のように、電極部９８−１、９８−２に跨がって加圧入力Ｍが生じれば、電極部９８−１、９８−２の双方に圧電出力が得られる。【０１６２】
(3) バイパス回路による破断部の補完【０１６３】
図１３のＡに示すように、電極１６ａまたは電極１６ｂの何れか一方またはそれぞれに第１および第２の電極引出し部１００−１、１００−２を備えてよい。図１３のＢに示すように、電極引出し部１００−１で破断１０２を生じても、圧電出力の取出しには電極引出し部１００−２を用いることができ、安定した検出動作を維持できる。【０１６４】
図１４のＡに示すように、電極１６ａ、１６ｂを複数の電極部１０４−１１、１０４−１２・・・・１０４−３３に分割してマトリクス状に配列するとともに、各電極部１０４−１１、１０４−１２・・・・１０４−３３を橋絡部１０６で連結して電気的に一体化するとともに、複数の電極引出し部１０８−１、１０８−２、１０８−３を備えてもよい。つまり、複数の電極部１０４−１１、１０４−１２・・・・１０４−３３および橋絡部１０６を以て互いのバイパス回路としている。係る構成とすれば、図１４のＢに示すように、電極引出し部１０４−１１、１０４−１２・・・・１０４−３３や複数の橋絡部１０６で破断１０２を生じていても、電極部１０４−３１に生じた加圧入力Ｍによる圧電出力を電極引出し部１０８−２、１０８−３から取り出すことができる。【０１６５】
(4) 電極部１６ａ、１６ｂの屈曲性の強化【０１６６】
図１５のＡに示すように、電極１６ａ、１６ｂの各辺部から中心部方向に向かう複数の切欠部１１０を形成し、隣り合う切欠部１１０の間に電極部１１２−１、１１２−２、１１２−３、１１２−４を形成してもよい。係る構成によれば、屈曲可能な電極１６ａ、１６ｂの電極引出し機能を補完でき、各電極部１１２−１、１１２−２、１１２−３、１１２−４によって電極１６ａ、１６ｂの屈曲性を補完し、強化することができる。【０１６７】
(5) 電極部１６ａ、１６ｂの同一面配置【０１６８】
図１５のＢに示すように、検出領域４の幅方向に電極対１６の各電極１６ａ、１６ｂを配置してもよい。同一面に配置する電極１６ａ、１６ｂは、圧電層６の加圧入力面部１４ａまたは支持面部１４ｂのいずれに設置してもよい。【０１６９】
＜位置判定が可能なパターン電極例＞【０１７０】
(6) Ｘ軸上の位置の特定【０１７１】
図１６のＡに示すように、電極１６ａ、１６ｂは複数の電極部１１４−１、１１４−２、１１４−３・・・を備え、これら電極部１１４−１、１１４−２、１１４−３・・・をＸ軸方向に配列させてもよい。このようにすれば、電極部１１４−１、１１４−２、１１４−３・・・により、Ｘ軸上の位置を表す圧電出力を取り出すことができる。この場合、靴跡９６のある電極部１１４−１には靴跡９６のＸ軸上の位置を表す圧電出力が得られる。【０１７２】
(7) Ｙ軸上の位置の特定【０１７３】
図１６のＢに示すように、電極１６ａ、１６ｂは複数の電極部１１６−１、１１６−２、１１６−３、１１６−４・・・を備え、これら電極部１１６−１、１１６−２、１１６−３、１１６−４・・・をＹ軸方向に配列させてもよい。このようにすれば、電極部１１６−１、１１６−２、１１６−３、１１６−４・・・により、Ｙ軸上の位置を表す圧電出力を取り出すことができる。この場合、靴跡９６−１のある電極部１１６−１には靴跡９６−１のＹ軸上の位置を表す圧電出力が得られる。破線で示すように、靴跡９６−１から靴跡９６−２に移動すれば、移動したＹ軸上の位置を表す圧電出力が電極部１１６−１、１１６−２から取り出される。【０１７４】
(8) Ｘ軸およびＹ軸上の位置の特定【０１７５】
図１７のＡに示すように、電極１６ａは、複数の電極部１１８−１、１１８−２、１１８−３、１１８−４を備え、電極１６ｂは、複数の電極部１１８−５、１１８−６、１１８−７、１１８−８を備えている。この電極１６ｂは、電極１６ａの下側に圧電層６を挟んで配置される。電極１６ａ、電極１６ｂは加圧入力面および背面にそれぞれＸ軸方向およびＹ軸方向にマトリクス状に配列するとともに、電極部１１８−１、１１８−２、１１８−３、１１８−４、１１８−５、１１８−６、１１８−７、１１８−８を以て同一間隔の電気的橋絡部を構成して各電極部間を橋絡させ、周縁側の各電極部にはＸ軸方向およびＹ軸方向に電極引出し部が形成されている。【０１７６】
このような構成とすれば、加圧入力面より加圧入力Ｍが付与されると、電極部１１８−１、１１８−２、１１８−３、１１８−４、および、１１８−５、１１８−６、１１８−７、１１８−８のいずれかまたは複数の組合せから圧電出力が得られる。この圧電出力が生じた加圧入力ＭのＸ軸、Ｙ軸上の座標位置を知ることができる。【０１７７】
(9) Ｘ軸、Ｙ軸およびＺ軸上の位置の特定【０１７８】
図１７のＢに示すように、ブロック状の弾性支持体１２０の上面および下面にＸ−Ｙ軸上の加圧入力Ｍを検出する感圧センサー２−１、側面にＺ軸上の加圧入力Ｍを検出する感圧センサー２−２を備えている。感圧センサー２−１側には電極１６ａおよび電極１６ｂが圧電層６を挟んで備えられ、電極１６ａには複数の電極部１１８−１、１１８−２、１１８−３、１１８−４、電極１６ｂには複数の電極部１１８−５、１１８−６が備えられる。これら複数の電極部１１８−１、１１８−２、１１８−３、１１８−４、１１８−５、１１８−６は既述のＸ−Ｙ軸上に間隔を設けて配列されている。感圧センサー２−２側には、複数の電極部１２２が間隔を設けて配列されている。図示しないが、感圧センサー２−２側の電極１２２も圧電層６を挟んで配置される電極対であってもよいし、圧電層６の加圧入力面に横方向に圧電層６を挟んで配置されてもよい。【０１７９】
係る構成では、感圧センサー２−１からＸ−Ｙ軸上に加わる加圧入力Ｍによる圧電出力を取り出すことができ、感圧センサー２−２からＺ軸上に加わる加圧入力Ｍによる圧電出力を取り出すことができる。【０１８０】
＜分布判定が可能なパターン電極例＞【０１８１】
図１８のＡに示すように、この電極１６ａ、１６ｂでは、複数の加圧入力Ｍ１、Ｍ２・・・ＭＮが加わった場合、その分布出力をＸ軸方向およびＹ軸方向に圧電出力が生じた加圧入力Ｍ１、Ｍ２・・・ＭＮのＸ軸、Ｙ軸上の座標位置を知ることができ、その圧電出力から加圧入力Ｍ１、Ｍ２・・・ＭＮの分布を知ることができる。【０１８２】
＜方向判定が可能なパターン電極例＞【０１８３】
図１８のＢに示すように、Ｘ−Ｙ軸上にある感圧センサー２−１に対し、傾斜方向から加圧入力Ｍが加わった場合、感圧センサー２−１から加圧入力Ｍの入力角度を表す圧電出力が得られる。
【実施例６】
【０１８４】
図１９は、実施例６に係る感圧検出装置の一例を示している。この感圧検出装置１２４には、感圧センサー２、波形成形部１２６、信号処理部１２８、制御部１３０および電源部１３２が備えられる。【０１８５】
感圧センサー２には単一または複数の圧電層６や電極対１６を備えてよい。波形成形部１２６は、既述の波形成形部８０と同様の機能を備える。【０１８６】
信号処理部１２８および制御部１３０はたとえば、コンピュータで構成され、特定のエリアに対する人または物の進入、通過または集合を含む処理を行う処理手段の一例であり、これら各種の信号処理が可能である。信号処理部１２８では各種の信号処理が可能であり、制御部１３０では、その信号処理に基づき、各種機器の発停制御など、各種の制御動作を行うことができる。【０１８７】
電源部１３２はバッテリでもよいし、商用電源を用いて駆動電圧を生成してもよい。【０１８８】
＜信号処理および制御動作など＞【０１８９】
ａ）加圧入力Ｍの積算処理
この積算処理には、加圧入力Ｍの積算処理の他、加圧入力Ｍの大きさの判定処理、加圧入力Ｍの加算処理、加圧入力Ｍが所定値を超えたか否かの判定などの処理が含まれる。この積算処理によれば、人や物の重量の判定、その判定結果による航空機への搭乗制限、貨物の偏重判定、大人・子供の区別する搭乗状況などの判別が可能である。【０１９０】
ｂ）加圧入力Ｍの頻度
加圧入力Ｍの回数をカウントし、そのカウント値が一定値を超えたか否かを判定すればよい。人や物の入・退場数をカウントし、一定数を超えれば、入場制限をする。【０１９１】
ｃ）加圧入力Ｍの分布処理
加圧入力Ｍの大きさと時点、場所、または大きさおよび回数、場所および回数を記録すればよい。物からの加圧入力Ｍの分布状況を可視化可能である。荷物のトレーサビリティーなどの判定に利用すればよい。【０１９２】
ｄ）複数の加圧入力Ｍの相関処理
加圧入力Ｍを記録し、その記録に基づき、その規則性を判定する。ベッドに感圧センサーを配置し、加圧入力Ｍから就寝姿勢の癖の判定、靴底に感圧センサーを配置することで靴底圧力から歩き方や走り方の癖の判定などの処理が可能である。【０１９３】
ｅ）推定処理
加圧入力Ｍの平均値を求めれば、たとえば、ロール面圧力の均質性を推定することができる。【０１９４】
ｆ）検定処理
複数の加圧入力Ｍを比較し、加圧入力Ｍ間や、複数の加圧入力Ｍを集合させたグループ間での違いを判定することができる。たとえば、全数検査において、加圧入力Ｍ（重さ）を判定し、その大きさで合否判定に利用する。【０１９５】
ｇ）分散処理
複数の加圧入力Ｍの平均値から分散を求めることができる。たとえば、洗浄液の飛散状態の程度をみる。洗浄器具の形状設計などに活用することができる。【０１９６】
ｈ）加圧入力Ｍの圧力レベルに応じた信号処理が可能である。
ｈ−１）電圧と動作状態を表す信号から、機器の駆動や停止を行う。カメラのシャッター動作、たとえば、自動改札でのＸ線撮影との連動などに利用できる。【０１９７】
ｈ−２）自動開閉動作として：たとえば、ドアに挟まれ時、自動開扉などに利用できる。また、選別動作として：たとえば、液体持込み有無の推定に利用する場合、荷物を揺らした後の電圧減衰から判定すればよい。【０１９８】
ｈ−３）電圧および音を表す信号から、物の落下、立入禁止区域への侵入、点字ブロック踏み付けから指向性を判断し、音声案内を出力する。【０１９９】
ｈ−４）電圧および光を表す信号から、圧力を受けた回数カウントにより色表示を行えばよい。【０２００】
＜実施例６の効果＞【０２０１】
(1) 感圧センサー２は加圧を伴う各種の分野に利用し、圧力レベルや圧力分布などの検出に利用できる。【０２０２】
(2) 加圧状態をユーザに告知できるので、感圧センサーを備えることにより、各種機器の利便性を高めることができる。【０２０３】
〔他の実施の形態〕【０２０４】
(1) 上記一実施の形態または実施例では、人や物からの加圧入力を検出することを例示したが、感圧センサー２は人の動きや鼓動などの検出に用いてもよい。【０２０５】
(2) 既述の感圧センサー２はスポーツや遊戯などの加圧点の検出に用いてもよい。【０２０６】
(3) ステップ装置４０は船舶や航空機、室の人や物の出入り検出に利用してもよい。【０２０７】
以上説明したように、本発明の最も好ましい実施の形態や実施例について説明した。本発明は上記記載に限定されるものではない。特許請求の範囲に記載され、または発明を実施するための形態または実施例に開示された発明の要旨に基づき、当業者において様々な変形や変更が可能である。斯かる変形や変更が、本発明の範囲に含まれることは言うまでもない。
【産業上の利用の可能性】
【０２０８】
本発明によれば、ステップ装置などに適用でき、人や物の存在の有無、通過、集合などの判断に利用でき、有益である。
【符号の説明】
【０２０９】
２  感圧センサー
４  検出領域
６  圧電層
８  背面支持層
１０  エリア側支持面
１２  圧力伝達層
１４ａ  加圧入力面部
１４ｂ  支持面部
１６  電極対
１６ａ、１６ｂ  電極
１６ａ−１、１６ａ−２、１６ｂ−１、１６ｂ−２  電極部
１８  絶縁間隔
２０  マットセンサー
２２  受圧層
２２−１  弾性層
２２−２  滑止め層
２４  圧電積層体
２６  背面支持層
２６−１  剛性層
２６−２  弾性層
２８  封止層
３０−１、３０−２  シールド層
３０−１１、３０−２１  導体層
３０−１２、３０−１３、３０−２２、３０−２３  絶縁層
３８  感圧検出システム
４０  ステップ装置
４２  装置筐体
４４  マットセンサー固定部
４６  感圧範囲
４８  制御部
５０  基板収納部
５２−１、５２−２  信号線
５４  電源線
５６  ビル
５８  出入口部
６０  自動ドア
６４  感圧検出装置
６５  電源部
６６  駆動機構部
６８  表示部
７４  変圧器
７６  整流器
７８  増幅部
８０  波形成形部
８２  信号処理部
８４  積分回路
８６  オペアンプ
８８  キャパシタ
９０  電源
９２−１、９２−２、９４−１、９４−２、９８−１、９８−２、９８−３、１０４−１１、１０４−１２・・・・１０４−３３、１１２−１、１１２−２、１１２−３、１１２−４、１１４−１、１１４−２、１１４−３、１１６−１、１１６−２、１１６−３、１１６−４、１１８−１、１１８−２、１１８−３、１１８−４、１１８−５、１１８−６、１１８−７、１１８−８、１２２  電極部
９６、９６−１、９６−２  靴跡
１００−１、１００−２、１０８−１、１０８−２、１０８−３  電極引出し部
１０２  破断
１０６  橋絡部
１１０  切欠部
１２０  弾性支持体
１２４  感圧検出装置
１２６  波形成形部
１２８  信号処理部
１３０  制御部
１３２  電源部
【図１】
2017188130.tif 000003
【図２】
2017188130.tif 000004
【図３】
2017188130.tif 000005
【図４】
2017188130.tif 000006
【図５】
2017188130.tif 000007
【図６】
2017188130.tif 000008
【図７】
2017188130.tif 000009
【図８】
2017188130.tif 000010
【図９】
2017188130.tif 000011
【図１０】
2017188130.tif 000012
【図１１】
2017188130.tif 000013
【図１２】
2017188130.tif 000014
【図１３】
2017188130.tif 000015
【図１４】
2017188130.tif 000016
【図１５】
2017188130.tif 000017
【図１６】
2017188130.tif 000018
【図１７】
2017188130.tif 000019
【図１８】
2017188130.tif 000020
【図１９】
2017188130.tif 000021
【国際調査報告】
2017188130.tif 000022
2017188130.tif 000023
2017188130.tif 000024
2017188130.tif 000025
2017188130.tif 000026
2017188130.tif 000027